(57)【要約】【課題】  無線ＬＡＮネットワークにおいて、プリンタから離れた場所にあるＡＰを経由して送信された印刷文書がプリンタ上に放置される時間を短縮し、機密性を高める。【解決手段】  プリンタから離れた場所にあるＡＰを経由して送信されたジョブを直ちに印刷せずにユーザが取りに来た時点で印刷する。【選択図】        図１
2006123239.tif 000002
【特許請求の範囲】
【請求項１】
アクセスポイントを介して無線端末と通信し、前記無線端末から送信される印刷ジョブをネットワーク上のアクセスポイント機能を有するプリンタによって印刷するシステムにおいて、
前記無線端末に設けられ、前記アクセスポイントの通信可能エリア内に入ると前記アクセスポイントに対してアクセスポイント機能を有するプリンタであるか否かを問い合わせる情報を自装置の固有のＩＤと共に送信する手段と、前記アクセスポイントよりアクセスポイント機能を有するプリンタであることを表す応答情報を受信する手段と、前記アクセスポイントより応答情報を受信出来なかった場合それ以降前記アクセスポイント機能を有するプリンタに対して送信する印刷ジョブに自装置の固有のＩＤを付加する手段と、
前記アクセスポイント機能を有するプリンタに設けられ、前記無線端末より印刷ジョブを受信する手段と、前記受信した印刷ジョブに前記無線端末の固有のＩＤが付加されているかを検出する手段と、前記受信した印刷ジョブに固有のＩＤが付加されていた場合直ちに印刷することなく内部の記憶媒体に前記固有のＩＤに関連付けて前記印刷ジョブを保存する手段と、前記無線端末から送信されたアクセスポイント機能を有するプリンタであるか否かの問い合わせ情報を受信する手段と、前記無線端末にアクセスポイント機能を有するプリンタであることを知らせる情報を送信する手段と、前記アクセスポイント機能を有するプリンタであるか否かの問い合わせ情報から前記無線端末の固有のＩＤを抽出する手段と、前記内部の記憶媒体を検索し前記無線端末の固有のＩＤに対応する印刷ジョブを保持していた場合前記印刷ジョブを前記記憶媒体より取り出し印刷する手段と
を有することを特徴とするプリンタによって印刷するシステム。
【請求項２】
アクセスポイント機能を有するプリンタに設けられ、内部の記憶媒体に印刷ジョブを保存してから所定の時間が経過すると前記印刷ジョブを消去する手段と
を有することを特徴とする請求項１記載のプリンタによって印刷するシステム。
【請求項３】
アクセスポイント機能を有するプリンタに設けられ、内部の記憶媒体を検索し無線端末の固有のＩＤに対応する印刷ジョブを保持していた場合前記印刷ジョブを前記記憶媒体より直ちに取り出し印刷せずに所定の時間が経過してから実行する手段と
を有することを特徴とする請求項１または２記載のプリンタによって印刷するシステム。
【請求項４】
アクセスポイント機能を有するプリンタに設けられ、保存している印刷ジョブの情報量によって時間を可変する手段と
を有することを特徴とする請求項３記載のプリンタによって印刷するシステム。
【請求項５】
アクセスポイントを介して無線端末と通信し、前記無線端末から送信される印刷ジョブをネットワーク上のアクセスポイント機能を有するプリンタによって印刷するシステムにおいて、
前記無線端末に設けられ、前記アクセスポイントの通信可能エリア内に入ると前記アクセスポイントに対してアクセスポイント機能を有するプリンタであるか否かを問い合わせる情報を自装置の固有のＩＤと共に送信する手段と、前記アクセスポイントよりアクセスポイント機能を有するプリンタであることを表す応答情報を受信する手段と、前記アクセスポイントより応答情報を受信出来なかった場合それ以降前記アクセスポイント機能を有するプリンタに対して送信する印刷ジョブに自装置の固有のＩＤを付加する手段と、
前記アクセスポイント機能を有するプリンタに設けられ、前記無線端末より印刷ジョブを受信する手段と、前記受信した印刷ジョブを有線ＬＡＮより受信したかを検出する手段と、前記受信した印刷ジョブが有線ＬＡＮより受信していた場合直ちに印刷することなく内部の記憶媒体に前記固有のＩＤに関連付けて前記印刷ジョブを保存する手段と、前記無線端末から送信されたアクセスポイント機能を有するプリンタであるか否かの問い合わせ情報を受信する手段と、前記無線端末にアクセスポイント機能を有するプリンタであることを知らせる情報を送信する手段と、前記アクセスポイント機能を有するプリンタであるか否かの問い合わせ情報から前記無線端末の固有のＩＤを抽出する手段と、前記内部の記憶媒体を検索し前記無線端末の固有のＩＤに対応する印刷ジョブを保持していた場合前記印刷ジョブを前記記憶媒体より取り出し印刷する手段と
を有することを特徴とするプリンタによって印刷するシステム。
【請求項６】
アクセスポイント機能を有するプリンタに設けられ、内部の記憶媒体に印刷ジョブを保存してから所定の時間が経過すると前記印刷ジョブを消去する手段と
を有することを特徴とする請求項６記載のプリンタによって印刷するシステム。
【請求項７】
アクセスポイント機能を有するプリンタに設けられ、内部の記憶媒体を検索し無線端末の固有のＩＤに対応する印刷ジョブを保持していた場合前記印刷ジョブを前記記憶媒体より直ちに取り出し印刷せずに所定の時間が経過してから実行する手段と
を有することを特徴とする請求項５または６記載のプリンタによって印刷するシステム。
【請求項８】
アクセスポイント機能を有するプリンタに設けられ、保存している印刷ジョブの情報量によって時間を可変する手段と
を有することを特徴とする請求項７記載のプリンタによって印刷するシステム。
【請求項９】
アクセスポイント機能を有するプリンタに設けられ、前記無線端末より印刷ジョブを受信する手段と、前記受信した印刷ジョブに前記無線端末の固有のＩＤが付加されているかを検出する手段と、前記受信した印刷ジョブに固有のＩＤが付加されていた場合直ちに印刷することなく内部の記憶媒体に前記固有のＩＤに関連付けて前記印刷ジョブを保存する手段と、前記無線端末から送信されたアクセスポイント機能を有するプリンタであるか否かの問い合わせ情報を受信する手段と、前記無線端末にアクセスポイント機能を有するプリンタであることを知らせる情報を送信する手段と、前記アクセスポイント機能を有するプリンタであるか否かの問い合わせ情報から前記無線端末の固有のＩＤを抽出する手段と、前記内部の記憶媒体を検索し前記無線端末の固有のＩＤに対応する印刷ジョブを保持していた場合前記印刷ジョブを前記記憶媒体より取り出し印刷する手段と
を有することを特徴とするプリンタ装置。
【請求項１０】
アクセスポイント機能を有するプリンタに設けられ、前記無線端末より印刷ジョブを受信する手段と、前記受信した印刷ジョブを有線ＬＡＮより受信したかを検出する手段と、前記受信した印刷ジョブが有線ＬＡＮより受信していた場合直ちに印刷することなく内部の記憶媒体に前記固有のＩＤに関連付けて前記印刷ジョブを保存する手段と、前記無線端末から送信されたアクセスポイント機能を有するプリンタであるか否かの問い合わせ情報を受信する手段と、前記無線端末にアクセスポイント機能を有するプリンタであることを知らせる情報を送信する手段と、前記アクセスポイント機能を有するプリンタであるか否かの問い合わせ情報から前記無線端末の固有のＩＤを抽出する手段と、前記内部の記憶媒体を検索し前記無線端末の固有のＩＤに対応する印刷ジョブを保持していた場合前記印刷ジョブを前記記憶媒体より取り出し印刷する手段と
を有することを特徴とするプリンタ装置。
【請求項１１】
アクセスポイント機能を有するプリンタに設けられ、内部の記憶媒体に印刷ジョブを保存してから所定の時間が経過すると前記印刷ジョブを消去する手段と
を有することを特徴とする請求項１０記載のプリンタ装置。
【請求項１２】
アクセスポイント機能を有するプリンタに設けられ、内部の記憶媒体を検索し無線端末の固有のＩＤに対応する印刷ジョブを保持していた場合前記印刷ジョブを前記記憶媒体より直ちに取り出し印刷せずに所定の時間が経過してから実行する手段と
を有することを特徴とする請求項１０または１１記載のプリンタ装置。
【請求項１３】
アクセスポイント機能を有するプリンタに設けられ、保存している印刷ジョブの情報量によって時間を可変する手段と
を有することを特徴とする請求項１２記載のプリンタ装置。
【請求項１４】
アクセスポイントを介して無線端末と通信し、前記無線端末から送信される印刷ジョブをネットワーク上のアクセスポイント機能を有するプリンタによって印刷するシステムにおいて、
前記無線端末に設けられ、前記アクセスポイントの通信可能エリア内に入ると前記アクセスポイントに対してアクセスポイント機能を有するプリンタであるか否かを問い合わせる情報を自装置の固有のＩＤと共に送信する手段と、前記アクセスポイントよりアクセスポイント機能を有するプリンタであることを表す応答情報を受信する手段と、前記アクセスポイントより応答情報を受信出来なかった場合それ以降前記アクセスポイント機能を有するプリンタに対して送信する印刷ジョブに自装置の固有のＩＤを付加する手段と、
を有することを特徴とする無線端末装置。
【発明の詳細な説明】
【技術分野】
【０００１】
本発明は、プリンタによって印刷するシステム、プリンタ装置、無線端末装置に関するものである。
【背景技術】
【０００２】
従来、無線ＬＡＮのシステムにおいて、ユーザが無線端末を用いてアクセスポイントを介してドキュメントの印刷を行う場合、ユーザがプリンタから離れた位置にいる場合でもプリンタは直ちに印刷ジョブの印刷を実行する。このためユーザが印刷文書を回収するまでの間印刷文書はプリンタのトレー上に放置されていた（例えば、特許文献１参照。）。
【特許文献１】特開２００１−２０３８３４号公報
【発明の開示】
【発明が解決しようとする課題】
【０００３】
しかしながら、上記従来例では下記の問題が有った。
【０００４】
ユーザが印刷ジョブを送信後すぐに印刷文書を回収に行けない場合や、プリンタの位置が遠くなればなるほど印刷文書がプリンタのトレー上に放置される時間が長くなり、その結果印刷文書の機密性が保てなくなるといった問題があった。
【０００５】
本出願に係る第１の発明の目的は、ユーザが意識することなく、印刷文書がプリンタのトレー上に放置される時間を最小限に留め機密性を高めることの出来る、プリンタによって印刷するシステム、プリンタ装置、無線端末装置を提供する事である。
【課題を解決するための手段】
【０００６】
上記目的を達成するため、本出願に係る第１の発明は、
アクセスポイントを介して無線端末と通信し、前記無線端末から送信される印刷ジョブをネットワーク上のアクセスポイント機能を有するプリンタによって印刷するシステムにおいて、
前記無線端末に設けられ、前記アクセスポイントの通信可能エリア内に入ると前記アクセスポイントに対してアクセスポイント機能を有するプリンタであるか否かを問い合わせる情報を自装置の固有のＩＤと共に送信する手段と、前記アクセスポイントよりアクセスポイント機能を有するプリンタであることを表す応答情報を受信する手段と、前記アクセスポイントより応答情報を受信出来なかった場合それ以降前記アクセスポイント機能を有するプリンタに対して送信する印刷ジョブに自装置の固有のＩＤを付加する手段と、
前記アクセスポイント機能を有するプリンタに設けられ、前記無線端末より印刷ジョブを受信する手段と、前記受信した印刷ジョブに前記無線端末の固有のＩＤが付加されているかを検出する手段と、前記受信した印刷ジョブに固有のＩＤが付加されていた場合直ちに印刷することなく内部の記憶媒体に前記固有のＩＤに関連付けて前記印刷ジョブを保存する手段と、前記無線端末から送信されたアクセスポイント機能を有するプリンタであるか否かの問い合わせ情報を受信する手段と、前記無線端末にアクセスポイント機能を有するプリンタであることを知らせる情報を送信する手段と、前記アクセスポイント機能を有するプリンタであるか否かの問い合わせ情報から前記無線端末の固有のＩＤを抽出する手段と、前記内部の記憶媒体を検索し前記無線端末の固有のＩＤに対応する印刷ジョブを保持していた場合前記印刷ジョブを前記記憶媒体より取り出し印刷する手段と
を有することを特徴とするプリンタによって印刷するシステム
によって解決するものである。
【発明の効果】
【０００７】
本出願の第１の発明によれば、プリンタから離れたアクセスポイントを介して送信した印刷文書がプリンタのトレー上に放置される時間を最小限に留めることが可能となる。これによりユーザが意識することなく、印刷文書の機密性が高められる。
【０００８】
また、プリンタから離れた場所から印刷ジョブを送信し、その後印刷が不要になった場合でもユーザが印刷ジョブを削除することなく自動的に削除されるのでユーザの労力の削減が図れる。
【発明を実施するための最良の形態】
【０００９】
以下本発明を実施するための最良の形態を、実施例により詳しく説明する。
【実施例１】
【００１０】
本発明の実施例１について図面を元に説明する。
【００１１】
図１は本発明のシステム全体の構成をよく表す図面であり、同図において１０１は無線ＬＡＮによってアクセスポイント１０２、およびアクセスポイント機能を有するプリンタ１０３と通信する無線端末、１０２は無線端末１０１が有線ＬＡＮに接続するための基地局となるアクセスポイント、１０３はアクセスポイントの機能を兼ね備え、有線ＬＡＮおよび無線ＬＡＮによって受信した印刷ジョブを印刷するプリンタ、１０５は有線の通信ネットワークである有線ＬＡＮ、１０６はアクセスポイント１０２の通信可能なエリアを表すアクセスポイント無線ＬＡＮエリア、１０７はプリンタ１０３が通信可能なエリアを表すプリンタ無線ＬＡＮエリアである。
【００１２】
次に、動作を説明する。無線端末１０１は、アクセスポイント１０２の無線ＬＡＮエリア１０６内ではアクセスポイント１０２に接続し、有線ＬＡＮ１０５を介してプリンタ１０３に対して印刷ジョブを送信する。
【００１３】
また、無線端末１０１は、プリンタ１０３の無線ＬＡＮエリア１０７内ではプリンタ１０３に接続し、プリンタ１０３に対して印刷ジョブを送信する。
【００１４】
図２は本発明のプリンタ１０３の構成を良く表す図面であり、同図において２００はアクセスポイントとして機能するアクセスポイント部、２０１は無線ＬＡＮの電波を送受信するアンテナ、２０２は無線ＬＡＮの物理層の送受信制御を行う無線物理層部、２０３は無線ＬＡＮのＭＡＣ（Ｍｅｄｉｕｍ  Ａｃｃｅｓｓ  Ｃｏｎｔｒｏｌ）層の送受信制御を行う無線ＭＡＣ層部、２０７は有線ＬＡＮの物理層の送受信制御を行う有線物理層部、２０８は有線ＬＡＮのＭＡＣ層の送受信制御を行う有線ＭＡＣ層部、２０９は無線ＬＡＮおよび有線ＬＡＮにおけるパケットの送受信の処理を行うＣＰＵ部、２１０は有線ＬＡＮおよび無線ＬＡＮにおけるパケットのバッファやＣＰＵ部２０９で動作するプログラムの記憶エリア、およびワークエリアとして機能するメモリ部、２１１はアクセスポイント部２００の各部を接続する内部バス、２２０はプリンタとして機能するプリンタ部、２２１はプリンタ部２２０の制御を司るプリンタＣＰＵ部、２２２はプリンタＣＰＵ部２２１で動作するプログラムの記憶エリア、およびワークエリアとして機能するプリンタメモリ部、２２３はユーザがプリンタを制御する操作部、２２４は印刷ジョブをイメージデータに展開後紙などの記録媒体に印刷する印刷部、２２５はアクセスポイント部とインタフェースする機器インタフェース部、２２６は印刷ジョブを一時的に保存しておくＨＤＤ（Ｈａｒｄ  Ｄｉｓｃ  Ｄｒｉｖｅ）部、２２７はプリンタ部２２０の各部を接続するプリンタ内部バスである。なお、１０５は図１と同様である。
【００１５】
次に、動作を説明する。まず、アクセスポイント部２００の動作について説明する。アンテナ２０１および無線物理層部２０２、無線ＭＡＣ層部２０３によって受信した無線ＬＡＮパケットは、メモリ部２１０に書き込まれる。ＣＰＵ部２０９は受信した無線ＬＡＮパケットをメモリ部２１０から読み出し、有線ＬＡＮパケットとして有線ＭＡＣ部２０８、有線物理層部２０７によって有線ＬＡＮ１０５へ送信する。また、有線ＬＡＮ１０５から受信した有線ＬＡＮパケットは逆の手順によって無線ＬＡＮパケットとしてアンテナ２０１によって送信される。有線ＬＡＮおよび無線ＬＡＮから受信したパケットが印刷ジョブやプリンタ確認情報等の自装置宛であった場合、プリンタ部２２０が認識可能な情報フォーマットに変換後機器インタフェース部２２５を介してプリンタ部２２０へ送信する。
【００１６】
続いて、プリンタ部２２０の動作を説明する。機器インタフェース部２２５から印刷ジョブを受信した場合、一度プリンタメモリ部２２２へ書き込み、直ちに印刷する時はプリンタＣＰＵ部２２１によってイメージデータへ展開後印刷部２２４によって紙面に印刷する。直ちに印刷を行わず印刷ジョブを一時保存する時はＨＤＤ部２２６に書き込み、印刷を実行するタイミングでＨＤＤ部２２６より印刷ジョブを読み出しプリンタメモリ部２２２へ書き込み、プリンタＣＰＵ部２２１によってイメージデータへ変換後印刷部２２４によって紙面に印刷する。また、機器インタフェース部２２５からプリンタ確認情報を受信した場合、一度プリンタメモリ部２２２へ書き込み、プリンタＣＰＵ部２２１によって解析し、その結果を元に応答情報を作成して機器インタフェース部２２５を介してアクセスポイント部２００へ送信する。
【００１７】
本実施例ではプリンタ１０３にアクセスポイント部２００を内蔵する例として示しているが、アクセスポイント１０２を機器インタフェース部２２５を介して接続することでも実現可能であることは言うまでもない。更に、機器インタフェース部２２５に接続する有線ＬＡＮインタフェースを設け、アクセスポイント１０２と有線ＬＡＮを介して接続することによっても実現可能である。
【００１８】
図３は本発明のプリンタ確認パケットフォーマットをよく表す図であり、同図においてａは確認要求パケットであり、３１１はプリンタであるか否かの確認を要求する情報を格納する確認要求フィールド、３１２は送信元のパケットのバージョンを表すコードを格納するバージョンフィールド、ｂは確認応答パケットであり、３２１はプリンタであるか否かの確認要求に対して応答する情報を格納する確認応答フィールド、３２２は送信元のパケットのバージョンを表すコードを格納するバージョンフィールド、３２３はプリンタの機種名や装備等に関する情報を格納するプリンタ機種フィールド、３２４はエラーや警告等プリンタの状態に関する情報を格納するプリンタステータスフィールドである。
【００１９】
これらのパケットに無線ＬＡＮのＭＡＣヘッダーを付加し、無線ＬＡＮパケットとして無線端末１０１とアクセスポイント１０２、またはプリンタ１０３との間で通信を行う。確認要求パケットａは無線端末１０１からのみ送信され、確認応答パケットｂはプリンタからのみ送信される。アクセスポイント１０２は確認要求パケットａには応答しないため、無線端末１０１は通信相手がプリンタ１０３なのか、もしくはアクセスポイント１０２なのかを判断することが可能となる。
【００２０】
図４は本発明の無線端末１０１の動作をよく表すフローチャート図であり、同図において無線端末１０１は図１に示すアクセスポイント１０２の無線ＬＡＮエリア内、もしくはプリンタ１０３の無線ＬＡＮエリア内１０７に入ると、この時点においては通信相手がアクセスポイント１０２なのか、あるいはプリンタ１０３なのかを判断することが出来ないため通信相手に対してプリンタであるか否かを確認する確認要求パケット（図３に示すａ）を送信する（Ｓ４０１）。所定の時間内に確認応答パケット（図３に示すｂ）を受信したかを判別し（Ｓ４０２）、偽であれば通信相手はアクセスポイント１０２であることが判るので、以降の印刷ジョブに識別用に自装置のＭＡＣアドレスを示す情報を埋め込み（Ｓ４０３）送信する（Ｓ４０４）。真であれば通信相手はプリンタ１０３であることが判るので、以降の印刷ジョブをそのまま送信する（Ｓ４０４）。
【００２１】
図５は本発明のプリンタ１０３における、無線端末１０１が通信可能エリア１０７に入った時の動作をよく表すフローチャート図であり、同図において無線端末１０１から確認要求パケット（図３に示すａ）を受信すると（Ｓ５０１）、無線端末１０１に対して確認応答パケット（図３に示すｂ）を送信する（Ｓ５０２）。この時、Ｓ５０１で受信した無線ＬＡＮパケットより無線端末１０１のＭＡＣアドレスを抽出し（Ｓ５０３）、ＨＤＤ部２２６を検索してＭＡＣアドレスに対応する印刷ジョブを保存しているかを判別する（Ｓ５０４）。真であればその印刷ジョブをＨＤＤ部２２６より読み出して（Ｓ５０５）印刷し（Ｓ５０６）、偽であれば終了する。
【００２２】
Ｓ５０４で真であった場合、所定の時間が経過してから印刷ジョブの読み出しを実行するか、もしくは印刷ジョブを読み出してから所定の時間が経過してから印刷を実行することによって印刷文書がプリンタのトレー上に放置される時間を更に短縮することが可能となる。また、印刷ジョブの情報量が大きい場合は上記時間を短く、印刷ジョブの情報量が小さい場合は上記時間を長くすると言うように、印刷ジョブの大きさによって上記の時間を変更することによって、比較的大きな印刷ジョブを印刷する際にユーザがプリンタに印刷文書を回収に来た時点で印刷中による待ちをなくすことが出来る。
【００２３】
図６は本発明のプリンタ１０３における、無線端末１０１から印刷ジョブを受信した時の動作をよく表すフローチャート図であり、同図において無線端末１０１より無線ＬＡＮもしくは有線ＬＡＮを介して印刷ジョブを受信すると（Ｓ６０１）、印刷ジョブを解析しＭＡＣアドレスが埋め込まれているかを判別する（Ｓ６０２）。真であればアクセスポイント１０２および有線ＬＡＮを介して印刷ジョブが送信されたことであり、ジョブを送信した無線端末１０１はプリンタ１０３の無線ＬＡＮエリア１０７内には存在していないので、印刷ジョブをＨＤＤ部２２６に書き込み（Ｓ６０３）終了する。偽であれば無線端末１０１はプリンタ１０３の無線ＬＡＮエリア１０７内に存在しているので、直ちに印刷ジョブを印刷し（Ｓ６０４）終了する。
【００２４】
ＨＤＤ部２２６に書き込まれてから所定の時間が経過した印刷ジョブは、印刷する必要が無くなったか、ユーザがジョブを送信したことを忘れてしまった可能性が高い。また、ＨＤＤ部２２６の記憶容量を無駄に消費してしまうことからも消去することが望ましい。
【実施例２】
【００２５】
本発明の実施例２について図面を元に説明する。
【００２６】
図７は本発明のプリンタ１０３における、無線端末１０１から印刷ジョブを受信した時の動作をよく表すフローチャート図であり、同図において無線端末１０１より無線ＬＡＮもしくは有線ＬＡＮを介して印刷ジョブを受信すると（Ｓ７０１）、アクセスポイント部２００によって印刷ジョブを受信したのは有線ＬＡＮからかを判別する（Ｓ７０２）。真でればアクセスポイント１０２および有線ＬＡＮを介して印刷ジョブが送信されたことであり、ジョブを送信した無線端末１０１はプリンタ１０３の無線ＬＡＮエリア１０７内には存在していないので、印刷ジョブをＨＤＤ部２２６に書き込み（Ｓ７０３）終了する。偽であれば無線端末１０１はプリンタ１０３の無線ＬＡＮエリア１０７内に存在しているので、直ちに印刷ジョブを印刷し（Ｓ７０４）終了する。
【００２７】
この他の動作は第１の実施例と同様である。
【図面の簡単な説明】
【００２８】
【図１】本発明の第１の実施例に係るシステム構成を説明するブロック図である。
【図２】本発明の第１の実施例に係るプリンタの構成を説明する図である。
【図３】本発明の第１の実施例に係る確認パケットのフォーマットを説明する図である。
【図４】本発明の第１の実施例に係る無線端末の動作を説明するフローチャート図である。
【図５】本発明の第１の実施例に係るプリンタの確認パケット受信時の動作を説明するフローチャート図である。
【図６】本発明の第１の実施例に係るプリンタの印刷ジョブ受信時の動作を説明するフローチャート図である。
【図７】本発明の第２の実施例に係るサーバの動作を説明するフローチャート図である。
【符号の説明】
【００２９】
１０１  無線端末
１０２  アクセスポイント
１０３  プリンタ
１０５  有線ＬＡＮ
１０６  アクセスポイント１０２の無線ＬＡＮエリア
１０７  プリンタ１０３の無線ＬＡＮエリア
２００  アクセスポイント部
２０１  アンテナ
２０２  無線物理層部
２０３  無線ＭＡＣ部
２０７  有線物理層部
２０８  有線物理層部
２０９  ＣＰＵ部
２１０  メモリ部
２１１  内部バス
２２０  プリンタ部
２２１  プリンタＣＰＵ部
２２２  プリンタメモリ部
２２３  操作部
２２４  印刷部
２２５  機器インタフェース部
２２６  ＨＤＤ部
２２７  プリンタ内部バス
３１１  確認要求フィールド
３１２  バージョンフィールド
３２１  確認応答フィールド
３２２  バージョンフィールド
３２３  プリンタ機種フィールド
３２３  プリンタステータスフィールド
【図１】
2006123239.tif 000003
【図２】
2006123239.tif 000004
【図３】
2006123239.tif 000005
【図４】
2006123239.tif 000006
【図５】
2006123239.tif 000007
【図６】
2006123239.tif 000008
【図７】
2006123239.tif 000009